(57)【特許請求の範囲】
【請求項１】
必須成分として着色剤、水溶性樹脂、剥離剤、濡れ剤及び水を含む組成であって、前記濡れ剤は（Ａ）ポリエーテル変性シリコーン及びフッ素系界面活性剤から選ばれる少なくとも１種と（Ｂ）アセチレングリコール類及びそれらのエチレンオキサイド付加物から選ばれるアセチレン誘導体の少なくとも１種との併用である筆記板用水性マーキングペンインキ。
【請求項２】
前記成分（Ａ）としてポリエーテル変性シリコーンが用いられる場合にはインキ組成中０．１乃至３重量％、フッ素系界面活性剤が用いられる場合にはインキ組成中０．０１乃至０．５重量％、成分（Ｂ）はインキ組成中０．０１乃至２重量％の範囲で用いられる請求項１記載の筆記板用水性マーキングペンインキ。
【発明の詳細な説明】
【０００１】
【発明の属する技術分野】
本発明は筆記板用水性マーキングペンインキに関し、詳細にはホワイトボードと通称されているホーローや合成樹脂製の白板面を有する筆記板面に筆記された筆跡が、軟質の紙や布等からなる乾式消去材により消去されるマーキングペン用の水性インキに関する。
【０００２】
【従来の技術】
従来より筆記板用マーキングペンには有機溶剤ベースの油性インキが適用されているが、使用時の臭気や安全性の問題から近年筆記板マーキングペン用の水性インキについて種々の提案されてきている（例えば、特公平６−４８０５，特開平１−１７４５７７，同２−１１７９７５，同３−６２８６３号等）。しかしながら、筆記板用水性マーキングペンインキには以下のような問題点がある。
世間一般での前記ホワイトボードの使用状況は、各種の筆記板用マーキングペンが混用されているのが実情である。
この場合、筆記板用水性マーキングペンでの筆記は、さらの板面又はクリーニングされた板面上では問題ないが、一旦油性マーキングペンが使用され、その筆跡が乾式消去された後の板面では、油性インキ中の油分が板面に薄膜となって付着して残るので、その後の水性マーキングペンでの筆跡ははじいたり、ちぢれたりした不良状態になる傾向にある。
【０００３】
【発明が解決しようとする課題】
筆記板用マーキングペンとして油性マーキングペンが先行して汎用されている現状では、油性マーキングペンと混用されても前記の筆跡の不良化の問題が発生しないような水性マーキングペンが望まれる。本発明はこのような要求を満足する水性マーキングペンに適用される筆記板用水性マーキングペンインキを提供しようとするものである。
【０００４】
【課題を解決するための手段】
本発明の筆記板用水性マーキングペンインキは、必須成分として着色剤、水溶性樹脂、剥離剤、濡れ剤及び水を含む組成であって、前記濡れ剤は（Ａ）ポリエーテル変性シリコーン及びフッ素系界面活性剤から選ばれる１種以上と（Ｂ）アセチレングリコール類及びそれらのエチレンオキサイド付加物から選ばれる１種以上との併用である組成の水性インキである。
ここで、剥離剤とはインキが筆記板面に強固に付着するのを妨げ、その筆跡の乾式消去材での消去を容易にするための成分であり、濡れ剤はインキの筆記板面への「のり」を良好にするための成分である。
【０００５】
前記着色剤としてはアゾ系、アンスラキノン系、縮合ポリアゾ系、チオインジゴ系、金属錯塩系、フタロシアニン系、ペリノン・ペリレン系、ジオキサジン系及びキナクリドン系等の有機顔料、カーボンブラック、酸化鉄、チタン白等の無機顔料、及び蛍光顔料等が用いられ、インキ組成中０．５乃至１５重量％、好ましくは１乃至１０重量％の範囲で用いられる。
【０００６】
水溶性樹脂としては部分けん化ポリ酢酸ビニル、ポリビニルアルコール、ポリビニルアセタール、酢酸ビニル−ビニルアルコール−アクリル酸エステル共重合体、酢酸ビニル−ビニルアルコール−メタクリル酸エステル共重合体等が用いられ、インキ組成中０．１乃至１５重量％、好ましくは１乃至１０重量％の範囲で用いられる。
【０００７】
剥離剤としてはポリアルキレングリコール脂肪酸ジエステル、脂肪酸ポリアルキレングリコールエーテルエステル、ジカルボン酸ビス（ポリアルキレングリコールエーテル）エステル、脂肪酸アルキルエステル、ポリグリセリン脂肪酸エステル等があり、インキ中に溶解又は乳化の状態で用いられる。これら剥離剤はインキ組成中０．５乃至１５重量％、好ましくは１乃至１０重量％の範囲で用いられる。
【０００８】
濡れ剤は（Ａ）ポリエーテル変性シリコーン及びフッ素系界面活性剤から選ばれる１種以上と（Ｂ）アセチレン誘導体の１種以上との併用である。
ポリエーテル変性シリコーンの市販品の具体例としては、信越化学工業（株）製品ＫＦ−３５１，ＫＦ−３５２，ＫＦ−３５３，ＫＦ−６１５、日本ユニカー（株）製品シルウェットＬ−７７，Ｌ−７００１，Ｌ−７６００，Ｌ７６０７、東レダウコーニング（株）製品ＳＨ３７４６，ＳＨ３７４９，ＳＨ３７７１、東芝シリコーン（株）製品ＴＳＦ−４４５２，ＴＳＦ−４４４５等があげられる。これらポリエーテル変性シリコーンはインキ組成中０．１乃至３重量％好ましくは０．１乃至１．５重量％の範囲で用いられる。
フッ素系界面活性剤の市販品の具体例としては、住友スリーエム（株）製品フロラードＦＣ−１２９，ＦＣ−１７０Ｃ，ＦＣ１３５、旭硝子（株）製品サーフロンＳ−１４１、大日本インキ化学工業（株）製品メガファックＦ−８１２，Ｆ−８３３、三菱マテリアル（株）製品エフトップＥＦ１１２，ＥＦ１０５，ＥＦ１２１等があげられる。これらフッ素系界面活性剤はインキ組成中０．０１乃至０．５重量％、好ましくは０．０１乃至０．３重量％の範囲で用いられる。
【０００９】
前記成分（Ｂ）のアセチレン誘導体は２，５−ジメチル−３−ヘキシン−２，５−ジオール、３，６−ジメチル−４−オクチン−３，６−ジオール、２，４，７，９−テトラメチル−５−デシン−４，７−ジオール等のアセチレングリコール及びそれらのエチレンオキサイド付加物であり、それらの市販品の具体例としては川研ファインケミカル（株）製品アセチノールＥＬ，ＥＨ，ＥＯ、日信化学工業（株）製品サーフィノールＴＧ，６１，４４０等があげられる。これらアセチレン誘導体はインキ組成中０．０１乃至２重量％、好ましくは０．０５乃至１重量％の範囲で用いられる。
【００１０】
その他、必要に応じて顔料の分散、剥離剤の乳化又は可溶化のための助剤として公知の界面活性剤や樹脂を用いたり、筆跡の乾燥を早めるためにエタノール，プロパノール等の低級脂肪アルコールを少量添加してもよい。
【００１１】
【発明の実施の形態】
所定量の顔料分散体、樹脂水溶液及び水を混合し、生成した混合物をディスパーにかけて１時間攪拌し、次いで剥離剤、濡れ剤を添加して更に１時間攪拌して試料インキを得た。
【００１２】
【実施例】
表１に実施例インキ及び比較例インキの組成を示す。組成の数値は重量部で表わされている。
【表１】
0003569814.tif 000002
表中の原料の内容を注番号に沿って説明する。
（１）カーボンブラック１０重量％、ポリビニルアルコール５重量％を含む水性顔料分散体
（２）アゾ系赤色顔料８重量％、ポリビニルアルコール５重量％を含む水性顔料分散体
（３）２５％ポリビニルアセタール溶液（積水化学工業（株）製品名エスレックＫＷ−１０）
（４）１０％ポリビニルアルコール（けん化度７８．５〜８１．５モル％、重合度５００）水溶液
（５）ステアリン酸ブチルグリコールエーテルエステルの乳化物（有効成分３０％）
（６）ジグリセリルジオレエートの乳化物（有効成分３０％）
（７）ポリエーテル変性シリコーン（日本ユニカー（株）製品シルウエットＬ−７６０７）
（８）フッ素系界面活性剤（住友スリーエム（株）製品フロラードＦＣ−１７０Ｃ）
（９）フッ素系界面活性剤（旭硝子（株）製品サーフロンＳ−１４１）
（１０）川研ファインケミカル（株）製品アセチノールＥＬ
（１１）日信化学工業（株）製品サーフィノール４４０
【００１３】
尚、比較例１乃至３インキは、濡れ剤として前記成分（Ａ）又は成分（Ｂ）の一方のみを配合したインキである。
前記インキ調製方法によって調製された各試料インキを、下記構造のマーキングペンに所定量充填して試料ペンとし、テストに供した。
前記マーキングペンは、アクリル繊維を樹脂で結束させてなるペン体を固着したペン体ホルダーを、内部にポリエステル繊維束からなるインキ吸蔵体を収容した円筒体の先端に嵌着させた構成である。
【００１４】
前記各試料ペンについてクリーンな表面状態のホーローボード及び一旦ホワイトボード用油性マーキングペンで全面にマーキングして、乾式消去して表面に油分の薄膜が付着した状態のホーローボードに所定の文字及び線を描き、それらの筆跡について板面への濡れ性の良否を観察し、次いで１００ｇ荷重をかけた布で擦過し、筆跡が完全に消去されるのに要する擦過回数を測定した。
テスト結果を表２に示す。
【表２】
0003569814.tif 000003
表中の評価の記号の内容は以下のとおり。
インキの板面への濡れ性（筆跡の状態）
○：はじきやちぢみは認められず良好
×：はじき、ちぢみがみられる
筆跡の消去性
○：５回未満の擦過で消去される
【００１５】
【発明の効果】
テスト結果にみられるとおり、濡れ剤としてポリエーテル変性シリコーン、フッ素系界面活性剤（成分Ａ）又はアセチレン誘導体（成分Ｂ）をそれぞれ単独で用いた比較例インキはいずれも、油性マーキングペンが使用された後の油分の付着した状態の板面では筆跡にはじき、ちぢみ現象が発生するが、本発明の筆記板用水性マーキングペンインキでは前記濡れ剤の両成分（Ａ）及び（Ｂ）の相乗作用により前記油分の付着した板面でもはじきやちぢみのない良好な筆跡をもたらす。従って、現在市場に出回っている筆記板用油性マーキングペンと混用されても不具合なく使用できて実用性の高いものである。